(57)【特許請求の範囲】
【請求項１】
前面機構プレートを有する輸液ポンプと、
前記輸液ポンプに枢動可能に接続され、液投与セットを受け入れるように形成されたドアと、
前記前面機構プレートから外方向に延び、かつ前記ドアの前面にある開口部と位置合わせされてその内部に受け入れられる複数の取付けピンと
を備えるドア取付けシステムであって、
第１のピンおよび第２のピンは、前記前面機構プレートのプランジャ開口部の上方に配置され、第３のピンは、前記プランジャ開口部の下方に配置されており、
前記第３のピンが、前記プランジャ開口部の中心線を通って延びる垂直線上に位置しており、
前記第１のピンおよび前記第２のピンは、前記垂直線の両側に配置されている、ドア取付けシステム。
【請求項２】
３つの取付けピンが存在する、請求項１に記載のシステム。
【請求項３】
前記ドアの剛性は、０．１ｍｌ／ｈと２０００ｍｌ／ｈの間の流量範囲に維持される、請求項１に記載のシステム。
【請求項４】
前記ポンプのアクチュエータ力の、前記ドアのポンプ室反力に対する比は、１対５である、請求項１に記載のシステム。
【請求項５】
前記輸液ポンプは、ステッピングモータに動作可能に接続されるボールねじに接続されたプランジャを有する、請求項１に記載のシステム。
【請求項６】
前記第１のピンおよび第２のピンが、前記プランジャ開口部の中心線から、前記中心線と前記プランジャ開口部の上方に離間された水平線とを含む垂直面から反対方向に、等しい距離に位置する、請求項１に記載のシステム。
【発明の詳細な説明】
【技術分野】
【０００１】
本発明はドア取付け安定化システムを対象とし、より詳細には、輸液ポンプのためのドア取付け安定化システムを対象とする。
【背景技術】
【０００２】
輸液ポンプのためのドア取付けシステムが当技術分野で知られている。流量、および正確さを求める要求が増加するにつれて、ドア取付けシステムに関する問題が生じている。より具体的には、ポンプアクチュエータ力が増加すると、ポンプ室作動力は、アクチュエータ力に対抗するには不十分となり、プランジャを用いたポンプ送り中にカセット本体の動きを生ずる。カセット本体が動いたとき、流れ効率が低下し、流体出力容積が変化し、かつポンプ流量に関する限界、および低い流れの連続性が生ずる。したがって、これらの欠陥に対処するシステムが、当技術分野で求められている。
【発明の概要】
【発明が解決しようとする課題】
【０００３】
本発明の目的は、ポンプシステム全体の剛性を高めるドア取付けシステムを提供することである。
【０００４】
本発明の他の目的は、より高いポンプアクチュエータ力に対処するために、十分なポンプ室剛性を提供するドア取付けシステムを提供することである。
【０００５】
本発明のさらに他の目的は、流れ効率を高め、出力容積を安定化させ、かつより大きいポンプ流量および連続性を可能にするドア取付けシステムを提供することである。
【０００６】
これらの、および他の目的は、以下の記述、図面、および特許請求の範囲に基づいて、当業者には明らかになろう。
【課題を解決するための手段】
【０００７】
前面機構プレートを備える輸液ポンプを有するドア取付けシステム。ドアは、ポンプに対して枢動可能に接続される。ドアの前面にある開口部と位置合わせされ、かつその内部に受け入れられる複数の取付けピンが、前面機構プレートから外方向に延びている。
【０００８】
ポンプは、ステッピングモータに動作可能に接続されたボールねじに接続された移動可能なプランジャを有する。取付けシステムは、増加したプランジャアクチュエータ力に対処するための十分な強度および安定性を提供して、ポンプ送り中にドア内で限られたカセットの動きを生ずるようにする。
【図面の簡単な説明】
【０００９】
【図１】ドア取付けシステムの部分的な側面斜視図である。
【図２】ドア取付けシステムの側面断面図である。
【図３】ドア取付けシステムのドアの背面図である。
【図４】ドア取付けシステムのドアの前面図である。
【図５】ドア取付けシステムのドアの斜視図である。
【発明を実施するための形態】
【００１０】
図を参照すると、ドア取付け安定化システム１０は、カセットまたは同様のものなど、液投与セット１４を受け入れるように形成されたドア１２を含む。ドア１２は、枢動ピン１８により輸液ポンプ１６に枢動可能に取り付けられる。枢動ピン１８は、輸液ポンプ１６のベース２４に固定される取付けブロック２２の枢動ピン開口部２０を通って延びる。ドア１２は、液投与セット１４の一部を受け入れる、ドアに形成された空洞部２５を有する。
【００１１】
輸液ポンプ１６は、前面機構プレート２６を有する。プランジャ開口部３０と位置合わせされ、かつそれにより受け入れられる移動可能なプランジャ２８が、前面機構プレート２６から外方向に延びている。プランジャ開口部３０は、空洞部２５の中心線と一致する中心線３１を有する。好ましくは、ポンプ１６の流れ性能を改善するために、プランジャ２８は、回転ナット３６、アンギュラコンタクト軸受３８、およびスペーサ４０を通って、モータシャフト４４をさらに受け入れる可撓性のある結合器４２へと延びるボールねじ３４を用いてステッピングモータ３２に接続される。このような構成は、流れを層状に維持し、圧力差を最小に保ち、流体の剪断応力を最小化し、かつ流れプロフィル（ｆｌｏｗ  ｐｒｏｆｉｌｅ）を滑らかにするために、流体を静かに、滑らかに作動させる。
【００１２】
さらに第１の取付けピン４６、第２の取付けピン４８、および第３の取付けピン５０が、前面機構プレート２６から外方向に延びている。取付けピン４６、４８、および５０は、ドア１２の前面５８上の第１のピン開口部５２、第２のピン開口部５４、および第３のピン開口部５６と位置合わせされ、かつそれらにより受け入れられるように配置される。代替的には、ピンは、ドアの前面５８から延びて、前面機構プレート２６のピン開口部により受け入れられる。第１のピン４６および第２のピン４８は、プランジャ開口部３０の上方に配置され、第３のピン５０は、プランジャ開口部３０の下方に位置することが好ましい。
【００１３】
一実施形態では、第１のピン４６および第２のピン４８は、プランジャ開口部３０および空洞部２５の中心線３１から等しい距離に位置するが、中心線３１を含む垂直面から反対方向に離間される。第１のピン４６および第２のピン４８は、プランジャ開口部３０の上方に離間された水平線上で、中心線３１を通る垂直面から等距離に位置することが好ましい。
【００１４】
他の実施形態では、第３のピン５０は、プランジャ開口部３０の中心線３１を通って延びる垂直線上に位置する。第３のピン５０は、プランジャ開口部３０および空洞部２５の中心線３１から、第１のピン４６および第２のピン４８と同じ距離に位置することが好ましい。
【００１５】
ドア１２の前面５８に対するピン開口部５２、５４、および５６の深さは同一であり、またピン４６、４８、および５０は、前面機構プレート２６から、同じ距離または長さだけ外方向に延びることが好ましい。代替的には、ピン４６、４８、および５０は、異なる長さのものとすることができ、対応する開口部５２、５４、および５６は、完全な係合を行うために対応する深さで構成することもできる。
【００１６】
３つのピン４６、４８、および５０の自由端は、ピン開口部５２、５４、および５６の底部に係合して、高められた剛性と、さらに負荷分散を提供し、ポンプ送りサイクル中にカセット１４を支持する。剛性は、０．１ｍｌ／ｈと２０００ｍｌ／ｈの間の流量範囲に維持される。大きなダイナミックレンジは、微細なモータ制御動作、および低下させた機械的コンプライアンスを用いることにより達成される。ダイナミックレンジを達成するために、ポンプ室反力は、ポンプアクチュエータ力に対して、５対１の比を必要とする。
【００１７】
動作においては、枢動ピン１８は、取付けブロック２２の枢動ピン開口部２０を通して、またドア１２の底部の開口部６０を通して挿入される。ドア１２は、ピン４６、４８、および５０が、開口部５２、５４、および５６内に受け入れられるように閉じた位置へと枢動される。ドアロック６２は、閉じた位置でドア１２を維持するために係合される。ロックされると、モータ３２が活動化されて、プランジャ２８をカセット１４に係合させ、流体が流れるようにする。
【００１８】
このように、少なくとも、述べられた目的のすべてを満たすドア取付け安定化システムが開示された。
【図１】
0006557250.tif 000002
【図２】
0006557250.tif 000003
【図３】
0006557250.tif 000004
【図４】
0006557250.tif 000005
【図５】
0006557250.tif 000006